(57)【要約】【課題】ユーザ操作に応じて設定されたホワイトバランスが、どれほど正確か、または、ずれているかを、ユーザに的確に報知すること。【解決手段】被写体の像を撮像して画像を生成する撮像部と、画像に対して少なくともホワイトバランス調整を施す画像処理部と、撮像が行われる際の光源特性を、ユーザ操作に応じて設定する設定部と、光源特性に対応する色情報に基づいて、ホワイトバランス調整にかかわる第１のホワイトバランス評価値を算出する第１の算出部と、被写体を含む被写界のうち、特定の領域をユーザ操作に応じて選択する領域選択部と、特定の領域の色情報に基づいて、ホワイトバランス調整にかかわる第２のホワイトバランス評価値を算出する第２の算出部と、第１のホワイトバランス評価値と第２のホワイトバランス評価値とを比較する比較部と、比較部による比較結果を表示する表示部とを備える。【選択図】      図１
2005064630.tif 000002
【特許請求の範囲】
【請求項１】
被写体の像を撮像して画像を生成する撮像部と、
前記画像に対して少なくともホワイトバランス調整を施す画像処理部と、
前記撮像が行われる際の光源特性を、ユーザ操作に応じて設定する設定部と、
前記光源特性に対応する色情報に基づいて、前記ホワイトバランス調整にかかわる第１のホワイトバランス評価値を算出する第１の算出部と、
前記被写体を含む被写界のうち、特定の領域をユーザ操作に応じて選択する領域選択部と、
前記特定の領域の色情報に基づいて、前記ホワイトバランス調整にかかわる第２のホワイトバランス評価値を算出する第２の算出部と、
前記第１のホワイトバランス評価値と前記第２のホワイトバランス評価値とを比較する比較部と、
前記比較部による比較結果を表示する表示部と
を備えたことを特徴とする撮像装置。
【請求項２】
請求項１に記載の撮像装置において、
前記第１の算出部は、前記第１のホワイトバランス評価値としてホワイトバランスゲイン値を算出し、
前記第２の算出部は、前記第２のホワイトバランス評価値としてホワイトバランスゲイン値を算出する
ことを特徴とする撮像装置。
【請求項３】
請求項１に記載の撮像装置において、
前記第１の算出部は、前記第１のホワイトバランス評価値として色温度を算出し、
前記第２の算出部は、前記第２のホワイトバランス評価値として色温度を算出する
ことを特徴とする撮像装置。
【請求項４】
請求項１に記載の撮像装置において、
前記表示部は、前記比較結果を図形情報を用いて表示する
ことを特徴とする撮像装置。
【請求項５】
被写体の像を撮像して画像を生成する撮像部と、
前記撮像が行われる際の光源特性を、ユーザ操作に応じて設定する設定部と、前記光源特性に対応する色情報に基づいて、前記画像に対するホワイトバランス調整にかかわるホワイトバランス評価値を算出する算出部と、
前記撮像部により生成される画像のうち、特定の領域をユーザ操作に応じて選択する領域選択部と、
前記特定の領域に対応する部分の画像に対して、前記ホワイトバランス評価値に基づくホワイトバランス調整を施す画像処理部と、
前記ホワイトバランス調整が施された画像の色情報を、デバイスに依存しない色空間における色情報に変換する変換部と、
前記変換部による変換結果を表示する表示部と
を備えたことを特徴とする撮像装置。
【請求項６】
請求項５に記載の撮像装置において、
前記変換部は、前記画像の色情報を、Ｌ＊ａ＊ｂ＊色空間における色情報に変換する
ことを特徴とする撮像装置。
【請求項７】
請求項５に記載の撮像装置において、
前記表示部は、前記変換結果に基づく無彩度合いを図形情報を用いて表示する
ことを特徴とする撮像装置。
【請求項８】
請求項１または請求項５に記載の撮像装置において、
前記設定部は、前記光源特性として光源の色温度を設定する
ことを特徴とする撮像装置。
【請求項９】
請求項１または請求項５に記載の撮像装置において、
前記設定部は、前記光源特性として光源の種類を設定する
ことを特徴とする撮像装置。
【請求項１０】
請求項１または請求項５に記載の撮像装置において、
前記領域選択部は、前記特定の領域の選択の際に、選択範囲の大きさと位置との少なくとも一方を変更して前記特定の領域を選択する
ことを特徴とする撮像装置。
【発明の詳細な説明】
【０００１】
【発明の属する技術分野】
本発明は、ホワイトバランス調整機能を備えた撮像装置に関する。
【０００２】
【従来の技術】
従来より、ビデオカメラや電子カメラなどの撮像装置では、被写界の照射光の色温度に合わせて、ＲＧＢ各色のゲインを調整するいわゆるホワイトバランス調整が行われている。
ホワイトバランス調整には、ビデオカメラや電子カメラが照射光の色温度を自動的に測定してホワイトバランス調整を行う「オートホワイトバランス」や、ユーザにより設定される光源特性（色温度など）に基づいてホワイトバランス調整を行う「マニュアルホワイトバランス」や、予めユーザにより無彩色の被写体の予備撮影（いわゆるプリセット取得）を行わせてホワイトバランス調整を行う「プリセットホワイトバランス」などがある。
【０００３】
また、マニュアルホワイトバランス実行時に、マニュアル設定による条件とオートホワイトバランスに相当する自動測定による条件との比較を行い、差異が大きい場合にはユーザに比較結果を報知する撮像装置が知られている（例えば、特許文献１参照）。
【特許文献１】
特開平８−６５６８９号公報
【０００４】
【発明が解決しようとする課題】
しかし、前述した撮像装置では、オートホワイトバランスに相当する自動測定は、被写界全体を対象として行われる。そのため、被写界内に特に明るい部分がある場合や、ある色の占める割合が高い場合には、自動測定を正確に行うことができない。自動測定を正確に行うことができない場合、前述した比較結果の正確性には問題があり、ユーザに的確な報知を行うことができない。
【０００５】
本発明は、ユーザ操作に応じて設定されたホワイトバランスが、どれほど正確か、または、ずれているかを、ユーザに的確に報知することができる撮像装置を提供することを目的とする。
【０００６】
【課題を解決するための手段】
請求項１に記載の撮像装置は、被写体の像を撮像して画像を生成する撮像部と、前記画像に対して少なくともホワイトバランス調整を施す画像処理部と、前記撮像が行われる際の光源特性を、ユーザ操作に応じて設定する設定部と、前記光源特性に対応する色情報に基づいて、前記ホワイトバランス調整にかかわる第１のホワイトバランス評価値を算出する第１の算出部と、前記被写体を含む被写界のうち、特定の領域をユーザ操作に応じて選択する領域選択部と、前記特定の領域の色情報に基づいて、前記ホワイトバランス調整にかかわる第２のホワイトバランス評価値を算出する第２の算出部と、前記第１のホワイトバランス評価値と前記第２のホワイトバランス評価値とを比較する比較部と、前記比較部による比較結果を表示する表示部とを備えたことを特徴とする。
【０００７】
請求項２に記載の撮像装置は、請求項１に記載の撮像装置において、前記第１の算出部は、前記第１のホワイトバランス評価値としてホワイトバランスゲイン値を算出し、前記第２の算出部は、前記第２のホワイトバランス評価値としてホワイトバランスゲイン値を算出することを特徴とする。
請求項３に記載の撮像装置は、請求項１に記載の撮像装置において、前記第１の算出部は、前記第１のホワイトバランス評価値として色温度を算出し、前記第２の算出部は、前記第２のホワイトバランス評価値として色温度を算出することを特徴とする。
【０００８】
請求項４に記載の撮像装置は、請求項１に記載の撮像装置において、前記表示部は、前記比較結果を図形情報を用いて表示することを特徴とする。
請求項５に記載の撮像装置は、被写体の像を撮像して画像を生成する撮像部と、前記撮像が行われる際の光源特性を、ユーザ操作に応じて設定する設定部と、前記光源特性に対応する色情報に基づいて、前記画像に対するホワイトバランス調整にかかわるホワイトバランス評価値を算出する算出部と、前記撮像部により生成される画像のうち、特定の領域をユーザ操作に応じて選択する領域選択部と、前記特定の領域に対応する部分の画像に対して、前記ホワイトバランス評価値に基づくホワイトバランス調整を施す画像処理部と、前記ホワイトバランス調整が施された画像の色情報を、デバイスに依存しない色空間における色情報に変換する変換部と、前記変換部による変換結果を表示する表示部とを備えたことを特徴とする。
【０００９】
請求項６に記載の撮像装置は、請求項５に記載の撮像装置において、前記変換部は、前記画像の色情報を、Ｌ＊ａ＊ｂ＊色空間における色情報に変換することを特徴とする。
請求項７に記載の撮像装置は、請求項５に記載の撮像装置において、前記表示部は、前記変換結果に基づく無彩度合いを図形情報を用いて表示することを特徴とする。
【００１０】
請求項８に記載の撮像装置は、請求項１または請求項５に記載の撮像装置において、前記設定部は、前記光源特性として光源の色温度を設定することを特徴とする。
請求項９に記載の撮像装置は、請求項１または請求項５に記載の撮像装置において、前記設定部は、前記光源特性として光源の種類を設定することを特徴とする。
【００１１】
請求項１０に記載の撮像装置は、請求項１または請求項５に記載の撮像装置において、前記領域選択部は、前記特定の領域の選択の際に、選択範囲の大きさと位置との少なくとも一方を変更して前記特定の領域を選択することを特徴とする。
【００１２】
【発明の実施の形態】
以下、図面を用いて本発明の実施形態について詳細に説明する。なお、以下の各実施形態では、本発明の撮像装置の一例として、電子カメラを用いて説明を行う。
【００１３】
《第１実施形態》
以下、図面に基づいて、本発明の第１実施形態について説明する。第１実施形態は、請求項１〜４および請求項８〜１０に対応する。
図１は、第１実施形態の電子カメラの構成を示すブロック図である。
図１に示すように、電子カメラ１は、撮像部２、操作部３、画像処理部４および表示部５を備え、操作部３は、撮像部２および画像処理部４にそれぞれ接続され、撮像部２は画像処理部４に接続され、画像処理部４は、表示部５に接続される。
【００１４】
撮像部２は、不図示の撮影レンズ、撮像素子、Ａ／Ｄ変換器などを備える。撮像部２は、被写体の像を撮像して画像を生成する。そして、撮像部２により生成された画像は、画像処理部４に出力される。そして、撮像部２から出力された画像には、画像処理部４においてホワイトバランス調整などの画像処理が施される。そして、画像処理が施された後の画像データは、表示部５に出力されるとともに不図示の記録部に記録される。
【００１５】
操作部３は、レリーズボタンや決定ボタンなど、ユーザ操作を受け付けるための部材を備え、後述するマニュアルホワイトバランスに用いられる領域指定部３１、マニュアル設定部３２を含む。領域指定部３１は、方向を指示可能な不図示の十字キーなどを備える。一方、マニュアル設定部３２は、図２（電子カメラ１の上面図）に示すようなダイヤル３３と、液晶部３４とからなり、ダイヤル３３を回転させると液晶部３４に表示される色温度が変化する。
【００１６】
画像処理部４は、後述するマニュアルホワイトバランスに用いられる領域ＷＢゲイン値算出部４１、マニュアルＷＢゲイン値算出部４２、比較部４３を含む（詳細は後述する）。
表示部５は、電子カメラ１の背面に設けられた不図示の液晶モニタなどを備える。表示部５は、画像処理部４において画像処理が施された後の画像データを表示する他に、後述するマニュアルホワイトバランスでは、画像処理部４の比較部４３による比較結果を表示する（詳細は後述する）。
【００１７】
また、電子カメラ１内の不図示のメモリには、各部の動作内容を示すプログラムが予め記録されている。このようなプログラムは、記録媒体に記録されたものをメモリにインストールしたものでも良いし、インターネットを介して伝送波としてダウンロードし、メモリにインストールしたものでも良い。
なお、撮像部２は、請求項の「撮像部」に対応し、操作部３は、請求項の「設定部」に対応する。また、操作部３、画像処理部４、表示部５は、請求項の「領域選択部」に対応する。また、画像処理部４は、請求項の「画像処理部」，「第１の算出部」，「第２の算出部」，「比較部」に対応し、表示部５は、請求項の「表示部」に対応する。
【００１８】
なお、画像処理部４では、上述したホワイトバランス調整の他に、補間、階調変換処理、色補正処理などの画像処理を行うようにしても良い。また、ホワイトバランス調整、およびその他の画像処理の具体的な方法については、公知技術と同様であるため説明を省略する。
以上説明したような構成の電子カメラ１において、不図示の電源ボタンが「ＯＮ」されると、各部を介して、構図確認用のスルー画像の撮像および表示が開始される。
【００１９】
次に、本発明の特徴であるマニュアルホワイトバランスで撮影を行う際の、電子カメラ１の動作について、図２〜図６を用いて説明する。
操作部３のマニュアル設定部３２を介して、ユーザにより光源特性として光源の色温度が手動設定されると（ステップＳ１ＹＥＳ）、操作部３のマニュアル設定部３２は、ユーザにより設定された色温度を、画像処理部４のマニュアルＷＢゲイン値算出部４２に出力する。次に、画像処理部４のマニュアルＷＢゲイン値算出部４２は、設定された色温度に応じたホワイトバランスゲイン値（以下「ＷＢゲイン値」と称する）を算出する（ステップＳ２）。
【００２０】
画像処理部４のマニュアルＷＢゲイン値算出部４２には、図４に示すテーブルが予め定められている。図４において、横軸は色温度（単位：ケルビン）を示し、縦軸はＷＢゲイン値を示す。また、図中の２本の曲線のうち、ＲはＲゲイン値を示し、ＢはＢゲイン値を示す。画像処理部４のマニュアルＷＢゲイン値算出部４２は、このようなテーブルを用いて、ＷＢゲイン値（Ｒｔ，Ｂｔ）を求め、画像処理部４の比較部４３に出力する。
【００２１】
次に、電子カメラ１は、操作部３の領域指定部３１を介して、参照領域が指定されたか否かを判定する（ステップＳ３）。
ここで、参照領域とは、被写体を含む被写界のうち、ユーザがホワイトバランス調整の基準として指定する領域である。ユーザは、操作部３の領域指定部３１を介して、参照領域を指定する。参照領域の指定は、以下の手順で行われる。まず、図５Ａに示すように、参照領域の選択範囲が、表示部５に表示されたスルー画像の中央に表示される。ユーザは、操作部３の領域指定部３１を介して、指定したい場所に参照領域の枠ａを移動する。そして、操作部３の不図示の決定ボタンを押圧することにより、参照領域を指定する。図５Ｂには、左側のビルの外壁部分を参照領域として指定する場合の例を示す。
【００２２】
ユーザは、通常のホワイトバランス調整を行いたい場合には、無彩色部分を参照領域として指定する。一方、表現上の理由でホワイトバランスを外したホワイトバランス調整を行いたい場合には、意図して赤みがかった部分または青みがかった部分を参照領域として指定する。
参照領域が指定される（ステップＳ３ＹＥＳ）と、画像処理部４の領域ＷＢゲイン値算出部４１は、ステップＳ３で指定された参照領域に基づくＷＢゲイン値（Ｒｗ，Ｂｗ）を算出する（ステップＳ４）。
【００２３】
つまり、参照領域が指定された直後に撮像されたスルー画像のうち、指定された参照領域に対応する部分の画像データのＲＧＢ各色成分の平均値Ｒａ，Ｇａ，Ｂａを算出する。そして、次式を用いて参照領域に基づくＷＢゲイン値（Ｒｗ，Ｂｗ）を算出する。
Ｒｗ＝Ｇａ／Ｒａ・・・式１
Ｂｗ＝Ｇａ／Ｂａ・・・式２
そして、画像処理部４の領域ＷＢゲイン値算出部４１は、算出したＷＢゲイン値（Ｒｗ，Ｂｗ）を画像処理部４の比較部４３に出力する。
【００２４】
次に、画像処理部４の比較部４３は、ステップＳ２で算出したＷＢゲイン値（Ｒｔ，Ｂｔ）とステップＳ４で求めたＷＢゲイン値（Ｒｗ，Ｂｗ）との２種類のＷＢゲイン値を比較し、合致精度を求める（ステップＳ５）。
つまり、まず、次式を用いて合致度合いを示す値Ｚを求める。
Ｚ＝（Ｒｗ−Ｒｔ）２＋（Ｂｗ−Ｂｔ）２・・・式３
さらに、画像処理部４の比較部４３は、ステップＳ１で設定可能な全ての色温度に対応するＷＢゲイン値（Ｒｔ，Ｂｔ）について、値Ｚを同様に求める。そして、画像処理部４の比較部４３は、求めた全ての値Ｚのうち、最小の値の場合を合致精度最高とし、ステップＳ２で算出したＷＢゲイン値（Ｒｔ，Ｂｔ）の値Ｚと、合致精度最高の値Ｚとの比率に基づいて、ＷＢゲイン値（Ｒｔ，Ｂｔ）の合致精度を求める。そして、画像処理部４の比較部４３は、求めた合致精度を表示部５に出力する。
【００２５】
そして、表示部５は、比較結果として、ステップＳ５で求めた合致精度を図形情報を用いて表示する（ステップＳ６）。表示部５は、図６に示すように、上部にスルー画像を表示し、下部に合致精度を表示する。図６中の▼印ｂは、合致精度を示す。この印ｂが中央（白の部分）に近いほど、ホワイトバランスの精度が高いことを示す。また、左方に行くほど、赤みがかる方向にホワイトバランスが外れ、右方に行くほど、青みがかる方向にホワイトバランスが外れることを示す。
【００２６】
ユーザは、表示部５に表示されたこのような合致精度に基づいて、再びマニュアルホワイトバランスの設定を行った後に撮影に移行する、あるいは現在の設定での撮影に移行することができる。
以上説明したように、第１実施形態によれば、ユーザ操作に応じて設定された光源特性に対応する色情報（色温度）に基づく第１のホワイトバランス評価値（ＷＢゲイン値Ｒｔ，Ｂｔ）と、ユーザ操作に応じて選択された特定の領域（参照領域）の色情報（色温度）に基づく第２のホワイトバランス評価値（ＷＢゲイン値Ｒｗ，Ｂｗ）とを比較し、比較結果を表示部５に表示する。ここで、第２のホワイトバランス評価値（ＷＢゲイン値Ｒｗ，Ｂｗ）は、ユーザ操作に応じて選択された特定の領域（参照領域）に基づいて算出されるので、オートホワイトバランスに相当する自動測定による条件よりも正確性が高い。したがって、比較結果の正確性も向上するので、ユーザ操作に応じて設定されたホワイトバランスが、どれほど正確か、または、ずれているかを、ユーザに報知することができる。
【００２７】
また、第１実施形態によれば、比較結果を図形情報を用いて表示する。そのため、ユーザは、自身がマニュアル設定したホワイトバランスが、どれほど正確か、または、ずれているかをわかりやすく認識することができる。したがって、第１実施形態によれば、ユーザの意図を酌んだ撮影を行うことができる。
なお、第１実施形態では、ホワイトバランス評価値としてＷＢゲイン値を算出して比較する例を示したが、ホワイトバランス評価値として色温度を比較するようにしても良い。色温度を比較する場合、図４に示したテーブルを用いて、参照領域の色温度を求めれば良い。
【００２８】
なお、色温度を比較する場合には、２つの色温度の差分が最小になる場合が合致精度最高とすれば良い。また、表示の際には、図７Ａに示すように２つの色温度を並べて表示しても良いし、図７Ｂに示すように差分を表示するようにしても良い。さらに、図７Ｃに示すように▼印のマークの数を変えるなど、図形情報を用いて表示するようにしても良い。このように、色温度を比較することにより、ユーザは、再びマニュアルホワイトバランスの設定を行う際に、設定をどのように変更すれば良いかが簡単に分かる。
【００２９】
また、第１実施形態では、参照領域に基づくＷＢゲイン値を求めるとき（図３ステップＳ４参照）に、スルー画像を用いる例を示したが、参照領域用の測色センサや撮像素子などを備えてこれを用いるようにしても良いし、プリセット取得と同様の予備撮影をユーザに行わせるようにしても良い。
《第２実施形態》
以下、図面に基づいて、本発明の第２実施形態について説明する。第２実施形態は、請求項５〜１０に対応する。
【００３０】
図８は、第２実施形態の電子カメラの構成を示すブロック図である。なお、第１実施形態と同様の部分には第１実施形態と同様の符号を付して説明する。
図８に示すように、電子カメラ６は、第１実施形態の電子カメラ１と同様に、撮像部２、操作部３、画像処理部４および表示部５を備える。電子カメラ６において、操作部３は、撮像部２と画像処理部４とにそれぞれ接続され、撮像部２は画像処理部４に接続され、画像処理部４は、表示部５に接続される。
【００３１】
画像処理部４は、第１実施形態の領域ＷＢゲイン値算出部４１、比較部４３に換えて、演算部４４、Ｌ＊ａ＊ｂ＊変換部４５を含む（詳細は後述する）。
その他の各部の構成および機能は、第１実施形態と同様であるため説明を省略する。
なお、撮像部２は、請求項の「撮像部」に対応し、操作部３は、請求項の「設定部」に対応する。また、操作部３、画像処理部４、表示部５は、請求項の「領域選択部」に対応する。また、画像処理部４は、請求項の「算出部」，「画像処理部」，「変換部」に対応し、表示部５は、請求項の「表示部」に対応する。
【００３２】
以上説明したような構成の電子カメラ６において、不図示の電源ボタンが「ＯＮ」されると、各部を介してスルー画像の撮像および表示が開始される。
次に、本発明の特徴であるマニュアルホワイトバランスで撮影を行う際の、電子カメラ６の動作について、図９〜図１０を用いて説明する。
操作部３のマニュアル設定部３２を介して、ユーザにより光源特性として光源の色温度が手動設定されると（ステップＳ１１ＹＥＳ）、画像処理部４のマニュアルＷＢゲイン値算出部４２は、設定された色温度に応じたＷＢゲイン値（Ｒｔ，Ｂｔ）を算出する（ステップＳ１２）。色温度の手動設定およびＷＢゲイン値の算出は、第１実施形態と同様に行われる（図３ステップＳ１およびステップＳ２参照）。画像処理部４のマニュアルＷＢゲイン値算出部４２は、算出したＷＢゲイン値（Ｒｔ，Ｂｔ）を、画像処理部４の演算部４４に出力する。
【００３３】
次に、電子カメラ６は、操作部３の領域指定部３１を介して、参照領域が指定されたか否かを判定する（ステップＳ１３）。
ここで、参照領域とは、ユーザが手動設定した色温度に基づくホワイトバランス調整を予備的に施す領域である（詳細は後述する）。ユーザは、操作部３の領域指定部３１を介して、参照領域を指定する。参照領域の指定は、第１実施形態と同様に行われる（図３ステップＳ３参照）。
【００３４】
参照領域が指定されると、画像処理部４の演算部４４は、参照領域が指定された直後に撮像されたスルー画像のうち、参照領域に対応する部分の画像データに、ステップＳ１２で算出したＷＢゲイン値（Ｒｔ，Ｂｔ）を乗じる（ステップＳ１４）。画像処理部４の演算部４４は、参照領域に対応する部分の画像データのＲＧＢ各色成分の平均値Ｒａ，Ｇａ，Ｂａを算出し、次式を用いてＷＢゲイン値（Ｒｔ，Ｂｔ）を乗じる。なお、Ｒｂ，Ｇｂ，ＢｂはＷＢゲイン値が乗じられた後の各色成分の平均値を示す。
【００３５】
Ｒｂ＝Ｒａ×Ｒｔ・・・式４
Ｇｂ＝Ｇａ・・・式５
Ｂｂ＝Ｂａ×Ｂｔ・・・式６
そして、画像処理部４の演算部４４は、ＷＢゲイン値を乗じた後の各色成分Ｒｂ，Ｇｂ，Ｂｂを、画像処理部４のＬ＊ａ＊ｂ＊変換部４５に出力する。
【００３６】
次に、画像処理部４のＬ＊ａ＊ｂ＊変換部４５は、ステップＳ１４でＷＢゲイン値を乗じた後の各色成分Ｒｂ，Ｇｂ，Ｂｂ（請求項の「ホワイトバランス調整が施された画像の色情報」に対応する）を、Ｌ＊ａ＊ｂ＊色空間に変換する（ステップＳ１５）。なお、Ｌ＊ａ＊ｂ＊色空間とは、出力機器、入力機器などのデバイスに依存しない色空間である。
【００３７】
画像処理部４のＬ＊ａ＊ｂ＊変換部４５は、Ｒｂ，Ｇｂ，Ｂｂに所定の３行３列の行列式を乗じてＲＧＢ色空間からＸＹＺ色空間に変換する。そして、このＸＹＺ色空間におけるＸＹＺ表色系で表されるＸ，Ｙ，Ｚに対して、次式を用いて、Ｌ＊ａ＊ｂ＊色空間におけるＬ＊ａ＊ｂ＊表色系で表されるＬ＊，ａ＊，ｂ＊を算出する。
Ｌ＊＝１１６（Ｙ／Ｙ０）１／３−１６・・・式７
ａ＊＝５００［（Ｘ／Ｘ０）１／３−（Ｙ／Ｙ０）１／３］・・・式８
ｂ＊＝２００［（Ｙ／Ｙ０）１／３−（Ｚ／Ｚ０）１／３］・・・式９
ただし、式７〜９中のＸ０，Ｙ０，Ｚ０は、白色点を示し、（Ｘ／Ｘ０）＜０．００８８５６のとき、（Ｘ／Ｘ０）１／３を｛７．７８７（Ｘ／Ｘ０）＋１６／１１６｝に置き換える。また、（Ｙ／Ｙ０）＜０．００８８５６のとき、（Ｙ／Ｙ０）１／３を｛７．７８７（Ｙ／Ｙ０）＋１６／１１６｝に置き換え、（Ｚ／Ｚ０）＜０．００８８５６のとき、（Ｚ／Ｚ０）１／３を｛７．７８７（Ｚ／Ｚ０）＋１６／１１６｝に置き換える。
【００３８】
このように算出されるＬ＊，ａ＊，ｂ＊のうち、Ｌ＊は、明度を示し、ａ＊およびｂ＊は、色相を示す。画像処理部４のＬ＊ａ＊ｂ＊変換部４５は、算出したＬ＊，ａ＊，ｂ＊を、表示部５に出力する。
表示部５は、ステップＳ１５の変換結果（Ｌ＊，ａ＊，ｂ＊）に基づく無彩度合いを図形情報を用いて表示する（ステップＳ１６）。
【００３９】
具体的には、表示部５は、図１０に示すように、スルー画像の一部にａ＊ｂ＊平面のグラフを表示し、●印ｃで無彩度合いを表示する。印ｃが原点０に近いほど無彩度合いは高く、原点０から遠いほど無彩度合いは低い。また、印ｃが原点０からどちらの方向に離れているかによって色相が異なる。例えば、図１０に示すように原点の右下方に離れている場合、青みがかった色相である。
【００４０】
ユーザは、表示部５に表示されたこのような無彩度合いに基づいて、再びマニュアルホワイトバランスの設定を行う、あるいは現在の設定での撮影に移行することができる。
以上説明したように、第２実施形態によれば、ユーザ操作に応じて設定された光源特性に対応する色情報（色温度）に基づくホワイトバランス評価値（ＷＢゲイン値Ｒｔ，Ｂｔ）を算出し、ユーザ操作に応じて指定された特定の領域（参照領域）に対応する部分の画像データに対して、ホワイトバランス調整を施し（ＷＢゲイン値を乗ずる）、ホワイトバランス調整が施された画像データの色情報を、デバイスに依存しない色空間（Ｌ＊ａ＊ｂ＊色空間）における色情報に変換し、変換結果を表示部５に表示する。そのため、ユーザ操作に応じて選択された特定の領域（参照領域）に対して予備的にホワイトバランス調整を行い、その結果を表示するので、ユーザ操作に応じて設定されたホワイトバランスが、どれほど正確か、または、ずれているかを、ユーザに的確に報知することができる。
【００４１】
また、第２実施形態によれば、変換結果に基づく無彩度合いを図形情報を用いて表示する。そのため、ユーザは、自身がマニュアル設定したホワイトバランスが、どれほど正確か、または、ずれているかをわかりやすく認識することができる。したがって、第２実施形態によれば、ユーザの意図を酌んだ撮影を行うことができる。
【００４２】
なお、第２実施形態では、Ｌ＊ａ＊ｂ＊色空間に変換する（図９ステップＳ１５参照）例を示したが、デバイスに依存しない色空間であれば、他の色空間に変換しても良い。
【００４３】
また、第２実施形態では、無彩度合いをａ＊ｂ＊平面のグラフを用いて表示する（図１０参照）例を示したが、次式を用いて無彩度合いを示す値Ｓを求め、値Ｓを用いて無彩度合いを表示するようにしても良い。
Ｓ＝［（ａ＊）２＋（ｂ＊）２］０．５・・・式１０
なお、式１０を用いて算出されるＳは、無彩度合いが高いほど、小さい値になる。
【００４４】
なお、第１実施形態および第２実施形態では、光源特性として色温度がユーザにより設定される例を示したが、色温度と共に、光源の種類（太陽光、蛍光灯、一般光など）を設定可能にしても良い。このような場合には、図４に示したテーブルを、光源の種類別に複数用意しておくことにより、より正確な光源特性の指定を行うことが可能になる。
【００４５】
また、色温度の代わりに、撮影条件（例えば撮影シーンなど）を光源特性としても良い。このような場合には、色温度や光源の種類についての知識が少ないユーザでも、確実に光源特性を設定することができる。
また、第１実施形態および第２実施形態では、参照領域を指定する際に、枠を表示し、その枠を移動させることにより参照領域の位置を決める例を示したが、ユーザに対して、特定のエリア（例えば中央のＡＦエリアなど）に、無彩色部分を合わせるように要請しても良い。さらに、ユーザ操作に応じて枠の大きさと位置との少なくとも一方を変更可能にしても良い。
【００４６】
また、第１実施形態および第２実施形態では、本発明にかかる各処理をマニュアルホワイトバランス実行時に行う例を示したが、マニュアルホワイトバランスと別にこのような処理を行うモードを設けるようにしても良い。
また、第１実施形態および第２実施形態では、比較結果および変換結果をスルー画像と重ねて表示部５に表示する例を示したが、スルー画像を表示せずに、比較結果および変換結果のみを表示部５に表示するようにしても良い。また、電子カメラの液晶モニタに換えて、ファインダ内に同様の表示を行うようにしても良い。
【００４７】
また、第１実施形態および第２実施形態の発明を用いれば、報道のための撮影など複数台の撮像装置を用いて撮影を行う際に、１台目の撮像装置で処理を行って適切な値を設定し、その他の撮像装置には、１台目の撮像装置と同じ値を手動設定することができる。そのため、ユーザの意図を酌んだ撮影を、複数の撮像装置を用いて同条件で行うことができる。
【００４８】
【発明の効果】
以上説明したように、本発明によれば、ユーザ操作に応じて設定されたホワイトバランスが、どれほど正確か、または、ずれているかを、ユーザに的確に報知することができる。
【図面の簡単な説明】
【図１】第１実施形態の電子カメラ１の構成を示す図である。
【図２】第１実施形態の電子カメラ１の上面図である。
【図３】第１実施形態の電子カメラ１の動作を示すフローチャートである。
【図４】色温度とホワイトバランスゲイン値とにかかわるテーブルを示す図である。
【図５】第１実施形態における液晶モニタの表示例を示す図である。
【図６】第１実施形態における液晶モニタの表示例を示す図である。
【図７】第１実施形態における液晶モニタの表示例を示す図である。
【図８】第２実施形態の電子カメラ６の構成を示す図である。
【図９】第２実施形態の電子カメラ６の動作を示すフローチャートである。
【図１０】第２実施形態における液晶モニタの表示例を示す図である。
【符号の説明】
１，６  電子カメラ
２  撮像部
３  操作部
４  画像処理部
５  表示部
３１  領域指定部
３２  マニュアル設定部
３３  ダイヤル
３４  液晶部
４１  領域ＷＢゲイン値算出部
４２  マニュアルＷＢゲイン値算出部
４３  比較部
４４  演算部
４５  Ｌ＊ａ＊ｂ＊変換部
【図１】
2005064630.tif 000003
【図２】
2005064630.tif 000004
【図３】
2005064630.tif 000005
【図４】
2005064630.tif 000006
【図５】
2005064630.tif 000007
【図６】
2005064630.tif 000008
【図７】
2005064630.tif 000009
【図８】
2005064630.tif 000010
【図９】
2005064630.tif 000011
【図１０】
2005064630.tif 000012